(57)【要約】【課題】穀粒袋２の底部の外周側に配設した紐６の牽引により、穀粒袋２の漏斗状の底部の四つの壁面を一緒に動かせるようにする。【解決手段】穀粒袋２の底部の四つの壁面のうちの一つの壁面２ａを基準となる正面として、この基準とした正面側の壁面２ａの左右に位置する壁面２ｂ・２ｄの外側位置に紐６ａ・６ｂを配位して、それら紐６ａ・６ｂの各一端側を、基準とした壁面２ａの左右の側縁に位置する稜部２２・２２に設けた取付部材ａに結び付け、これら紐６ａ・６ｂの他端側を、基準とする壁面２ａに対向する背面側の壁面２ｃに向け導き、その壁面２ｃの左右の側縁に位置する稜部２２・２２に取付部材を介して装設する吊環７０・７０に挿通して正面側の壁面２ａに向け折り返し、その壁面２ａの左右の側縁に位置する稜部２２・２２に取付部材ａを介して取り付けた別の吊環７１・７１に挿通して前記壁面２ａの前面側に垂れ下がらせる。【選択図】        図６
2004359295.tif 000002
【特許請求の範囲】
【請求項１】
金属材により中空の立方体状に組み立てた枠体１の内部空間に、柔軟なシート・布地により底部側が四つの壁面２ａ・２ｂ・２ｃ・２ｄを具備する倒立する角錐状に形成した穀粒袋２を落とし込んで枠体１に懸架せしめてなる穀粒運搬用のコンテナＡにおいて、穀粒袋２の底部の四つの壁面のうちの一つの壁面２ａを基準となる正面として、この基準とした正面側の壁面２ａの左右に位置する壁面２ｂ・２ｄの外側位置に紐６ａ・６ｂを配位して、それら紐６ａ・６ｂの各一端側を、基準とした壁面２ａの左右の側縁に位置する稜部２２・２２に設けた取付部材ａに結び付け、これら紐６ａ・６ｂの他端側を、基準とする壁面２ａに対向する背面側の壁面２ｃに向け導き、その壁面２ｃの左右の側縁に位置する稜部２２・２２に取付部材を介して装設する吊環７０・７０に挿通して正面側の壁面２ａに向け折り返し、その壁面２ａの左右の側縁に位置する稜部２２・２２に取付部材ａを介して取り付けた別の吊環７１・７１に挿通して前記壁面２ａの前面側に垂れ下がらせ、それら紐６ａ・６ｂの他端側の端部に把持部８を装着することを特徴とする穀粒運搬用のコンテナにおける残留穀粒の排出装置。
【請求項２】
穀粒袋２の底部の左右の両側に配位して、正面側の壁面２ａの左右の側縁に位置する稜部２２・２２に設けた取付部材ａに一端側を結び付け、他端側を背面側の壁面２ｃの両側に位置するの稜部２２・２２に設けた吊環７０・７０により正面側に折り返し、その正面側の壁面２ａの左右の側縁に位置する稜部２２・２２に設けた吊環７１・７１にそれぞれ挿通して正面側の壁面２ａの前面に垂れ下がらせる左右の紐６ａ・６ｂの他端側を、互いに連結または連続して、そこに一つの把持部８を装着することを特徴とする請求項１記載の穀粒運搬用のコンテナにおける残留穀粒の排出装置。
【請求項３】
穀粒袋２の底部の左右の両側に配位して、正面側の壁面２ａの左右の側縁に位置する稜部２２・２２に設けた取付部材ａに一端側を連結し、他端側を背面側の壁面２ｃの左右の両側に位置する稜部２２・２２に設けた吊環７０・７０により正面側の壁面２ａに折り返した左右の紐６ａ・６ｂの他端側を、正面側の壁面２ａの左右の中央に寄せた部位に装設せる吊環７１・７１に挿通して、正面側の壁面２ａの前面側に垂れ下がらせ、それら紐６ａ・６ｂの他端側に把持部８・８をそれぞれ設けることを特徴とする請求項１記載の穀粒運搬用のコンテナにおける残留穀粒の排出装置。
【請求項４】
穀粒袋２の底部の左右の両側に配位して一端側を正面側の壁面２ａの左右の稜部２２・２２に取付部材ａを介して結び付けた紐６ａ・６ｂの、吊環７０・７０により折り返して正面側の壁面２ａの中央に寄せた部位に設けた吊環７１・７１により正面側の壁面２ａの前面側に垂れ下がらせた他端側を、互いに連結または連続させて、そこに一つの把持部８を設けることを特徴とする請求項１記載の穀粒運搬用のコンテナにおける残留穀粒の排出装置。
【発明の詳細な説明】
【０００１】
【発明が属する技術分野】
本発明は、金属材で中空の立方体状に組み立てた枠体の内腔に、底部を漏斗状に形成した穀粒袋を吊り下げ装着して構成する形態の穀粒運搬用のコンテナにおける残留穀粒の排出装置についての改良に関する。
【０００２】
【従来の技術】
上述の形態の穀粒運搬用のコンテナＡは、通常、図１にあるように、金属材の支柱１０と桁杆１１とで中空の立方体状の枠体１を組み立て、この枠体１の内側空間に、図２にあるように底部側を四つの壁面からなる倒立した角錐形の漏斗状に形成した穀粒袋２を落とし込んで、それの上部側の開口部の外面側に装設しておく鞘状部２０を、枠体１の上部側の桁杆１１…に通して掛けとめ装着し、漏斗状に形成した底部の下口２１を、枠体１の底部に支持枠１２を介して装架してある箱状に形成したシャッタ内装の排出機箱３０の上口に接続し、その機筺状の排出機箱３０の下面側に取出樋３１を具備する取出機箱３２を旋回自在に接続することで構成してある。
【０００３】
そして、このコンテナＡを用いて行う穀粒の運搬は、図３にあるように、穀粒袋２を装着した枠体を１を、トラックＴの荷台ｔまたは運搬車の荷台に載架して、そのトラックＴまたは運搬車の運転走行により、圃場において収穫作業を行っているコンバインの隣側に位置させ、コンバインの揚穀筒から放出される穀粒を、枠体１に懸架した穀粒袋２の上面側の開放口からその穀粒袋２の内部に受け入れ、これを、トラックＴまたは運搬車の運転走行で収納舎に設置してある穀粒乾燥機の隣側位置に運び、そこで、穀粒袋２の下口に接続している排出機箱３０の下面側に旋回自在に接続する取出機箱３２に設けた取出樋３１に、バネコンと呼ばれる穀粒搬送筒４を接続して、それの排出口を穀粒乾燥機の張込ホッパに接続し、穀粒袋２の下口２１に接続する排出機箱３０内のシャッタを開放し、穀粒搬送筒４を作動させて、穀粒袋２内の穀粒を穀粒乾燥機の機内に張り込むように用いる。
【０００４】
また、穀粒乾燥機による穀粒の乾燥作業が終了して取り出される穀粒を、同様にトラックＴまたは運搬車の荷台上に載架した枠体１に懸架せる穀粒袋２内に受け入れて、穀粒貯蔵施設に運搬するように用いられる。
【０００５】
このように構成する穀粒運搬用のコンテナＡは、それの枠体１に懸架した穀粒袋２が柔軟な合成樹脂材等のシートまたは布地で成形されていることで、穀粒を内部に受け入れたときに、その穀粒の重量により穀粒袋２が図４において鎖線に示しているように四周に向け幾分膨張して変形してくる。
【０００６】
このため、張り込んだ穀粒を排出させるとき、その排出作業の終期に、穀粒袋２の漏斗状の底部の外側に膨らんだ部位が、穀粒の安息角以下の傾斜面となることにより、この部位の内面側に少量の穀粒Ｇの残留が生じるようになる。
【０００７】
このことから、穀粒袋２の漏斗状の底部の外周には、リブ状に形成されている四本の稜部２２…のそれぞれの上下の中間部位に、図５にあるように紐を挿通するループ状の紐通し輪５…を装設しておいて、ここに、紐６を順次挿通して、その紐６の端部を結束することで、紐６が穀粒袋２の底部の外周をゆるくとり囲む無端のリング状になって付設されるようにしておき、穀粒の排出作業の終期に、このリングをなす紐６の適宜の部位を、作業者が掴んで引くことで、穀粒袋２の底部をゆり動かし、穀粒袋２の底部の内面側に残留している穀粒Ｇの流下をうながすようにしている。
【０００８】
【発明が解決しようとする課題】
上述の形態の穀粒運搬用のコンテナは、それの穀粒袋２内に受け入れた穀粒を排出するときに、それの穀粒袋２内に残留するようになる穀粒を、穀粒袋２の底部の外周に付設しておく無端のリング状の紐６を掴んで引くことで穀粒袋２の底部を外周側からゆり動かすことで排出させるようにする際に、例えば、トラックＴの荷台ｔの一側からの紐６の引き寄せで穀粒袋２の底部に与える動きが、図５にあるように、四つの壁面を具備する倒立する角錐状の底部のうちの、紐６を引き寄せる側の壁面２ｄを除いた三つの壁面２ａ・２ｂ・２ｃには、それらをゆするように加えられるが、紐６を掴んで引っ張る側に位置する壁面２ｄには有効な動きが与えられないようになることで、この紐６を掴んで引き寄せる側の壁面２ｄの内面側に穀粒が残留しがちとなる。このため、紐６を掴んで引っ張る作動を、通常、穀粒の取出方向となるトラックＴの荷台ｔの後縁側から行った場合にあっては、この荷台ｔの後縁に対面する壁面２ａの内面側に穀粒が残りがちとなることで、前述の図５にあるよう荷台ｔの側方に作業者が移動して、その位置からリング状の紐６の一部を掴んで再度引っ張る作動を行うようにすることが必要で、残留した穀粒をきれいに排出させるのが厄介な問題がある。
【０００９】
本発明は、従前の穀粒運搬用のコンテナに生じている上述の問題を解消せしめるためになされたものであって、枠体１に懸架した穀粒袋２に受け入れた穀粒を排出する作業の際に、その穀粒袋２が受け入れた穀粒の重量による膨出・変形より生じてくる残留穀粒を排出させるための、穀粒袋２の底部の外周側に配設した紐６の牽引による残留穀粒の排出作動が、紐６を牽引する作動位置を変更することなく、所定の作業位置において紐６を牽引することで、穀粒袋２の漏斗状の底部の四つの壁面２ａ・２ｂ・２ｃ・２ｄのうちの紐６を牽引する側の壁面２ａが、他の三つの壁面と共にゆり動かされて、四つの壁面が一緒に動くようになって、穀粒袋２内の残留穀粒をきれいに排出させ得るようにする新たな手段を提起することを目的とする。
【００１０】
【課題を解決するための手段】
本発明手段は、従前の穀粒運搬用のコンテナＡの穀粒の排出時に、そのコンテナＡの枠体１に懸架した穀粒袋２の漏斗状の底部の内面に残留するようになる穀粒をきれいに流出させるために、その穀粒袋２の漏斗状の底部の外周に、その外周をゆるく囲う環状の紐６をその穀粒袋２の底部の外周に対し摺動自在に配設しておき、穀粒の排出作業時の終期に、この環状の紐６の一部を掴んで牽引することにより穀粒袋２の底部を外周側からゆり動かす手段について、種々の検討を加えて得られた知見に基づいてなされたものである。
【００１１】
即ち、この従前手段にあっては、紐６を、穀粒袋２の漏斗状の底部の外周をゆるく囲う無端のリング状に形成しておいて、その紐６の所望の個所を掴んで牽引することで、その紐６により囲い込んだ穀粒袋２の底部の全体をゆり動かすようにしていることから、紐６を掴んで引っ張る側に対面する穀粒袋２の底部の壁面２ａに与える動き量が小さくなることによるもので、紐６を掴んで引いたときに、その紐６を引っ張る側に対面する穀粒袋２の底部の壁面２ａがその紐６により直接ゆり動かされるようにすればよいことに想到し、また、そのようにするには、紐６を左右に２分して、各紐６の一端側を、紐６を引っ張る側に対面する正面側の壁面２ａの左右の稜部２２・２２にラグ状に設けた紐通し輪５に結び付けておき、その紐６の他端側を背面側の壁面２ｃの左右の稜部２２・２２にラグ状に設けた紐通し輪５に挿通して正面側の壁面２ａに向けて折り返し、この折り返した他端側を正面側の壁面２ａの前面において引っ張るようにすればよい、という構想に想到したことによってなされたものである。
【００１２】
そして、この構想を具体化するために、穀粒袋２の倒立する角錐状の底部の四つの壁面２ａ・２ｂ・２ｃ・２ｄの境界位置にリブ状に形成されている四本の稜部２２…のそれぞれの上下の中間部位に付設しておく紐通し輪５…に紐６を挿通して、穀粒袋２の底部を外部からゆり動かす紐６を、その穀粒袋２の底部の外周に配設するとき、その紐６は、それを牽引する側に対面する穀粒袋２の底部の壁面２ａを基準として、その壁面２ａの左側に配位する紐６ａと右側に配位する紐６ｂとに分け、それぞれの紐６ａ・６ｂの一端側を、基準とした壁面２ａの左右の側縁に位置するリブ状の稜部２２・２２に設けてある紐通し輪５・５を利用してそれに結び付け、これら紐６ａ・６ｂの他端側を、基準とした壁面２ａと対向する背面側の壁面２ｃの左右の側縁に位置する稜部２２・２２に設けてある紐通し輪５・５を利用してこれに吊環７０・７０を取り付けて、その吊環７０・７０に挿通して正面側の壁面２ａに向け折り返し、その折り返した紐６ａ・６ｂの他端側を、正面側の壁面２ａの左右の側縁に位置する稜部２２・２２の、前述の紐６ａ・６ｂの一端側を結び付けた紐通し輪５の上方に位置する部位に別に取り付けた吊環７１・７１に挿通して、正面側の壁面２ａの前面側に垂らし、その他端側の端部に把持部８をそれぞれ取り付けておいて、穀粒の排出作業の終期に、これら把持部８を引っ張るようにしたところ、紐６ａ・６ｂの牽引により、紐を牽引する側に対面する正面側の壁面２ａが、先にゆり動かされ、これに続いて、左右の壁面２ｂ・２ｄと背面側の壁面２ｃがゆり動かされるようになって、倒立する角錐状をなす穀粒袋２の底部の四つの壁面２ａ・２ｂ・２ｃ・２ｄが、紐６ａ・６ｂの牽引作動で一緒にゆり動かせるようになる結果が得られた。
【００１３】
このとき、左右に分けた紐６ａ・６ｂの各他端側を互いに連結して、これに一つの把持部８を設けておき、この把持部８の操作により左右の紐６ａ・６ｂを一緒に牽引するようにしても同様の結果が得られた。
【００１４】
さらに、左右に分けて一端側を正面側の壁面２ａの左右の稜部２２・２２に結束した紐６ａ・６ｂの、背面側の壁面２ｃの左右の稜部２２・２２に付設した吊環７０・７０を経て正面側の壁面２ａに向け折り返した他端側を、その正面側の壁面２ａに垂下させるために、その正面側の壁面２ａの左右の稜部２２・２２に別に付設しておく吊環７１は、左右の稜部２２・２２よりも正面側の壁面２ａの左右の中心に寄った位置において、その正面側の壁面２ａに装設しておくことが、紐６ａ・６ｂの他端側を牽引することによる穀粒袋の２底部の四つの壁面２ａ・２ｂ・２ｃ・２ｄをのゆり動かしを一層効果的にする結果が得られた。
【００１５】
また、このように左右に分けた紐６ａ・６ｂの他端側を、穀粒袋２の底部の正面側の壁面２ａの左右の中心に寄せた部位に別に装設しておく吊環７１・７１に通して正面側の壁面２ａの前面側に垂れ下がるようにする場合において、この左右の紐６ａ・６ｂの他端側を互いに結束させるか、一本の紐として連続させるようにしておいても、同様の結果が得られるようになった。
【００１６】
そして、このことから、本発明においては、前述の目的を達成するための手段として、請求項１に記載したように、金属材により中空の立方体状に組み立てた枠体１の内部空間に、柔軟なシート・布地により底部側が四つの壁面２ａ・２ｂ・２ｃ・２ｄを具備する倒立する角錐状に形成した穀粒袋２を落とし込んで枠体１に懸架せしめてなる穀粒運搬用のコンテナＡにおいて、穀粒袋２の底部の四つの壁面のうちの一つの壁面２ａを基準となる正面として、この基準とした正面側の壁面２ａの左右に位置する壁面２ｂ・２ｄの外側位置に紐６ａ・６ｂを配位して、それら紐６ａ・６ｂの各一端側を、基準とした壁面２ａの左右の側縁に位置する稜部２２・２２に設けた取付部材に結び付け、これら紐６ａ・６ｂの他端側を、基準とする壁面２ａに対向する背面側の壁面２ｃに向け導き、その壁面２ｃの左右の側縁に位置する稜部２２・２２に取付部材を介して装設する吊環７０・７０に挿通して正面側の壁面２ａに向け折り返し、その壁面２ａの左右の側縁に位置する稜部２２・２２に取付部材ａを介して取り付けた別の吊環７１・７１に挿通して前記壁面２ａの前面側に垂れ下がらせ、それら紐６ａ・６ｂの他端側の端部に把持部８を装着することを特徴とする穀粒運搬用のコンテナにおける残留穀粒の排出装置を提起し、
【００１７】
また、これに併せて請求項２に記載した、穀粒袋２の底部の左右の両側に配位して、正面側の壁面２ａの左右の側縁に位置する稜部２２・２２に設けた取付部材ａに一端側を結び付け、他端側を背面側の壁面２ｃの両側に位置するの稜部２２・２２に設けた吊環７０・７０により正面側に折り返し、その正面側の壁面２ａの左右の側縁に位置する稜部２２・２２に設けた吊環７１・７１にそれぞれ挿通して正面側の壁面２ａの前面に垂れ下がらせる左右の紐６ａ・６ｂの他端側を、互いに連結または連続して、そこに一つの把持部８を装着することを特徴とする請求項１記載の穀粒運搬用のコンテナにおける残留穀粒の排出装置を提起し、
【００１８】
さらに、請求項３に記載した、穀粒袋２の底部の左右の両側に配位して、正面側の壁面２ａの左右の側縁に位置する稜部２２・２２に設けた取付部材ａに一端側を連結し、他端側を背面側の壁面２ｃの左右の両側に位置する稜部２２・２２に設けた吊環７０・７０により正面側の壁面２ａに折り返した左右の紐６ａ・６ｂの他端側を、正面側の壁面２ａの左右の中央に寄せた部位に装設せる吊環７１・７１に挿通して、正面側の壁面２ａの前面側に垂れ下がらせ、それら紐６ａ・６ｂの他端側に把持部８・８をそれぞれ設けることを特徴とする請求項１記載の穀粒運搬用のコンテナにおける残留穀粒の排出装置を提起し、かつ、請求項４に記載した、穀粒袋２の底部の左右の両側に配位して一端側を正面側の壁面２ａの左右の稜部２２・２２に取付部材ａを介して結び付けた紐６ａ・６ｂの、吊環７０・７０により折り返して正面側の壁面２ａの中央に寄せた部位に設けた吊環７１・７１により正面側の壁面２ａの前面側に垂れ下がらせた他端側を、互いに連結または連続させて、そこに一つの把持部８を設けることを特徴とする請求項１記載の穀粒運搬用のコンテナにおける残留穀粒の排出装置を提起するものである。
【００１９】
【発明の実施の形態】
次に本発明の実施の態様を、図面に随い実施例について詳述する。
図６は、本発明手段の第１の実施例の斜視図で、同図において、Ａは、鎖線により表している枠体１とこれに懸架した合成樹脂材のシートよりなる穀粒袋２とで構成した穀粒運搬用のコンテナ、６ａは該コンテナＡの穀粒袋２の底部の左側に配設した紐、６ｂはその穀粒袋２の底部の右側に配設した紐を示す。
【００２０】
穀粒運搬用のコンテナＡは、鉄骨で、図３にあるようにトラックＴの荷台ｔまたは穀粒運搬車の荷台上に載架し得る中空の立方体状の枠体１を組み立て、それのシートまたは布地により形成した穀粒袋２を懸架して構成する通常のものであり、それの穀粒袋２は、上部側の外周に装設せる鞘状部２０…を、枠体１の上縁側の桁杆１１に嵌挿することで、その枠体１に懸架せしめてあり、かつ、下方に連続する底部側は、四つの壁面２ａ・２ｂ・２ｃ・２ｄを具備する倒立した角錐状に形成してある。そして、該穀粒袋２の下口２１は、金属材で組み立てて、枠体１の底部に装架せる機筺状の排出機箱３０の上口に接続させてあり、該穀粒袋２内に投入して張り込んだ穀粒を、排出機箱３０内に装設してあるシャッタ（図示省略）を開いて、その排出機箱３０の下面側に旋回自在に接続している取出機箱３２に組み付けたモータにより駆動する取出スクリューの作動によって、取出樋３１から流出させるようになる通常のものである。
【００２１】
６ａ・６ｂは、この穀粒袋２の倒立する角錐状をなす底部の左側および右側に配設した紐で、穀粒運搬用のコンテナＡを、図１にあるようにトラックＴの荷台ｔ上に載架したときに、通常、穀粒袋２からの穀粒の取出方向とするトラックＴの荷台ｔの後縁側に向かう壁面２ａを基準とし、この壁面２ａを正面としてこれの左側と右側とに配設してある。
【００２２】
そしてこれらの左側の紐６ａおよび右側の紐６ｂは、それらの各一端側を、正面側とした基準とする壁面２ａの左右の側縁に位置する稜部２２・２２の、上下の中間部位で少し上方に寄る部位に設けてある紐通し輪５・５を利用して、これにそれぞれ結び付け、他端側を背面側の壁面２ｃの左右の両側縁に位置する左右の稜２０・２０に向けて導き、その稜部２２・２２の上下の中間部位で少し上方に寄る部位に装設してある紐通し輪５・５に挿通して正面側に向け折り返し、正面側の壁面２ａの前面側において牽引し得るようにするが、このときの紐６ａ・６ｂの他端側の引っ張り作動を円滑にするため、背面側の壁面２ｃの左右の両端縁に位置する稜部２２・２２に付設してある紐通し輪５・５には、それぞれ、金属材または合成樹脂材により成形した剛体の吊環７０・７０を取り付けて、この吊環７０・７０に挿通して正面側の壁面２ａの前面に向け折り返してある。
【００２３】
そしてまた、この折り返した紐６ａ・６ｂの他端側は、それを正面側の壁面２ａの前面側において引っ張る作動が適確に行えるようにするため、紐６ａ・６ｂの一端側を結び付けた紐通し輪５・５の上方に配位して、正面側の壁面２ａの左右の両側の稜部２２・２２に別に設けておく吊環７１・７１に挿通して、正面側の壁面２ａの前面側にそれぞれ垂れ下がらせ、そこに把持部８・８をそれぞれ装着するようにしている。
【００２４】
従って、この実施例の穀粒運搬用のコンテナＡは、トラックＴの荷台ｔに載架して、圃場で収穫作業を行っているコンバインの隣側位置に移動し、そこで穀粒袋２に受け入れた穀粒をトラックＴの運転走行で所望の場所に運搬し、その場所において、トラックＴの荷台ｔの後縁側の荷框を開放回動させて、バネコン式の穀粒搬送筒４を取出樋３１に接続し、穀粒の排出作業を行う際、その排出作業の終期に、穀粒の取出方向となるトラックＴの荷台ｔの後縁に対面する穀粒袋２の壁面２ａの前面側に垂下している紐６ａ・６ｂの他端側の把持部８・８を掴んで引っ張ることで、穀粒袋２の底部の四つの壁面２ａ・２ｂ・２ｃ・２ｄの全てが一緒にゆり動かされるようになって、穀粒袋２内に残留していた穀粒がきれいに流出してくるようになる。
【００２５】
次に図７は、上述の実施例装置の変形例を示している。
この例は、穀粒袋２の底部を外側からゆり動かす紐６を、左側の紐６ａと右側の紐６ｂとに分け、それぞれの一端側を正面側の壁面２ａの両側に位置する稜部２２・２２に設けてある紐通し輪５・５に結び付け、他端側を、背面側の壁面２ｃの両側に位置する稜部２２・２２に設けた吊環７０・７０に挿通して正面側に折り返し、正面側の壁面２ａの左右の両側に位置する稜部２２・２２に装設した吊環７１・７１に挿通して正面側の壁面２ａの前面側に垂れ下げるようにすることについては、前述の実施例と同様であるが、この正面側の壁面２ａの前面側に垂れ下げさす紐６ａ・６ｂの他端側を互いに結び合わせるか、一本の紐として連続させるようにしておいて、ここに一つの把持部８を装着するようにした例である。
【００２６】
この例においては、正面側の壁面２ａの前面に垂れ下がる一つの把持部８を引っ張ることで左側の紐６ａと右側の紐６ｂが同時に牽引されることにより穀粒袋２の底部の四つの壁面２ａ・２ｂ・２ｃ・２ｄが一緒にゆり動かされるようになる。
【００２７】
次に図８は別の実施例を示している。この例は、穀粒袋２の底部の左右の両側に配位する紐６ａ・６ｂの一端側を、正面側の壁面２ａの左右の両側に位置する稜２０・２０に設けた紐通し輪５・５に結び付けて、他端側を背面側の壁面２ｃに向け導き、その壁面２ｃの両側に位置する稜部２２・２２に設けた吊環７０・７０に挿通してそれぞれ正面側に折り返し、正面側の壁面２ａの左右の両側に位置する稜部２２・２２に設けておく別の吊環７１・７１に挿通して正面側の壁面２ａの前面側のそれぞれ垂れ下げるようにすることについては、前述した実施例と変わりないが、その左右の紐６ａ・６ｂの折り返した他端側を正面側の壁面２ａの前面に垂れ下がる状態とするために設ける吊環７１・７１を、正面側の壁面２ａの左右の側縁に位置する稜部２２・２２よりも左右の中心に寄せた壁面２ａに装着しておくようにした例である。
【００２８】
この例においては、正面側の壁面２ａの前面側に垂れ下がる左右の紐６ａ・６ｂの他端側を、それに設けた把持部８・８を把持して引っ張ることで、穀粒袋２の底部の四つの壁面２ａ・２ｂ・２ｃ・２ｄを一緒にゆり動かすときに、正面側の壁面２ａが、紐６ａ・６ｂの各一端側を結び付けた紐通し輪５・５の部位と、正面側の壁面２ａの左右の中央部に寄せた位置に設けた吊環７１・７１の取付部位との二個所において背面側に牽引され、かつ、左右の壁面２ｂ・２ｄが絞り込まれるように動かされることで、残留穀粒を流出させるための穀粒袋２の底部を外周側から紐６によりゆり動かす作動が一層確実なものとなる。
【００２９】
次に図９は、もう一つの別の実施例を示している。この例は、上述の図８に示した実施例の変形例であり、正面側の壁面２ａの左右の中央に寄せた部位に装着せる吊環７１・７１に挿通せしめて、正面側の壁面２ａの前面に垂れ下がらせた紐６ａ・６ｂの他端側を、それぞれ結び合わせるか、一本の紐を挿通方向を逆にして用いることで互いに連続する状態とし、そこに一つの把持部８を取り付けるようにしている例である。
【００３０】
この実施例においては、一つの把持部８を把持して引っ張ることで、上述の第三の実施例のものと同様に作用するようになる。
【００３１】
これら各実施例において、左右に分けた紐６ａ・６ｂの一端側を結び付けている紐通し輪５・５は、図１乃至図５に示した従前手段において穀粒袋２の底部の外周に付設していたものを利用しているためであり、紐６ａ・６ｂの各一端側を、穀粒袋２の底部の正面側の壁面２ａの左右の側縁部において穀粒袋２の底部の外周面に結び付けられるようになればよく、紐を通す輪に形成しておく必要はなく、適宜の形状の取付部材ａとして形成してよいものである。また、その装着部位も、リブ状に形成してある稜部２２・２２に装着しなければならないものではなく、稜部２２・２２の近傍部位において穀粒袋２の底部の壁面に直接取り付けるようにしてもよい。
【００３２】
このことは、穀粒袋２の底部の背面側の壁面２ｃの左右の両側に位置する稜部２２・２２に設ける紐通し輪５・５も同様である。左右に分けて正面側に折り返した左右の紐６ａ・６ｂの牽引作動を円滑にするための吊環７０・７０の取付部材としているものであり、吊環７０・７０が装着されるようになればよく、適宜の形状の取付部材ａに形成してよいものであり、また、その装設位置も稜部２２・２２に限られるものではなく、その近傍位置において穀粒袋２の底部の壁面に装着するようにしてよいものである。
【００３３】
【発明の効果】
以上説明したように本発明による穀粒運搬用のコンテナにおける残留穀粒の排出装置は、穀粒袋の底部の外周に配設した紐を牽引することで、穀粒袋の底部の四つの壁面が一度にゆり動かされるようになって、紐の引っ張りによる残留穀粒を排出させるための作動が適確に行えるようになる。
【図面の簡単な説明】
【図１】従前の穀粒運搬用のコンテナの枠体の斜視図である。
【図２】同上のコンテナの穀粒袋の斜視図である。
【図３】同上のコンテナのトラックの荷台に載架した状態の斜視図である。
【図４】同上のコンテナの穀粒袋の穀粒の残留が生ずる状態の説明図である。
【図５】同上のコンテナの穀粒袋の残留穀粒を排出させる手段の斜視図である。
【図６】本発明を実施せる穀粒運搬用のコンテナにおける残留穀粒の排出手段の斜視図である。
【図７】同上手段の別の実施例の斜視図である。
【図８】同上のさらに別の実施例の斜視図である。
【図９】同上のさらに異なる実施例の斜視図である。
【符号の説明】
Ａ…コンテナ、Ｇ…穀粒、Ｔ…トラック、ａ…取付部材、ｔ…荷台、１…枠体、１０…支柱、１１…桁杆、１２…支持枠、２…穀粒袋、２ａ・２ｂ・２ｃ・２ｄ…壁面、２０…鞘状部、２１…下口、２２…稜部、３０…排出機箱、３１…取出樋、３２…取出機箱、４…穀粒搬送筒、５…紐通し輪、６・６ａ・６ｂ…紐、７０・７１…吊環、８…把持部。
【図１】
2004359295.tif 000003
【図２】
2004359295.tif 000004
【図３】
2004359295.tif 000005
【図４】
2004359295.tif 000006
【図５】
2004359295.tif 000007
【図６】
2004359295.tif 000008
【図７】
2004359295.tif 000009
【図８】
2004359295.tif 000010
【図９】
2004359295.tif 000011
【手続補正書】
【提出日】平成15年6月9日(2003.6.9)
【手続補正１】
【補正対象書類名】図面
【補正対象項目名】図１
【補正方法】変更
【補正の内容】
【図１】
2004359295.tif 000012
【手続補正２】
【補正対象書類名】図面
【補正対象項目名】図２
【補正方法】変更
【補正の内容】
【図２】
2004359295.tif 000013
【手続補正３】
【補正対象書類名】図面
【補正対象項目名】図３
【補正方法】変更
【補正の内容】
【図３】
2004359295.tif 000014
【手続補正４】
【補正対象書類名】図面
【補正対象項目名】図４
【補正方法】変更
【補正の内容】
【図４】
2004359295.tif 000015
【手続補正５】
【補正対象書類名】図面
【補正対象項目名】図５
【補正方法】変更
【補正の内容】
【図５】
2004359295.tif 000016
【手続補正６】
【補正対象書類名】図面
【補正対象項目名】図６
【補正方法】変更
【補正の内容】
【図６】
2004359295.tif 000017
【手続補正７】
【補正対象書類名】図面
【補正対象項目名】図７
【補正方法】変更
【補正の内容】
【図７】
2004359295.tif 000018
【手続補正８】
【補正対象書類名】図面
【補正対象項目名】図８
【補正方法】変更
【補正の内容】
【図８】
2004359295.tif 000019
【手続補正９】
【補正対象書類名】図面
【補正対象項目名】図９
【補正方法】変更
【補正の内容】
【図９】
2004359295.tif 000020